(57)【要約】【課題】前後に揺動運動をし、バランス感覚を必要とし、運動量を大きくすることによりウオーキング或いはジョギングにおいても健康増進や、ダイエット効果を向上させることができる構造の靴底を提供する。【解決手段】アウトソール本体２の硬度より高い硬度の材料で製造したバランス支持部材３のアーチ対応箇所に断面がほぼ半球状のアーチ支持部材４をバランス支持部材３の足底に向けて突設させ、アウトソール本体２の爪先部後端部５から踵対応箇所６に向けて、アウトソール本体２に填め込みアウトソール本体２と接合一体化し、アウトソール２の底面を、アウトソール２が地面と接する爪先側接点Ａと爪先先端裏面１０とが形成する角度を６〜３０度の範囲で徐々に立ち上げ、且つアウトソール２が地面と接する踵側接点Ｂと踵後端部裏面１１とが形成する角度を６〜２１度の範囲で徐々に立ち上げた曲面構造とする。【選択図】図１
2011255143.tif 000002
【特許請求の範囲】
【請求項１】
アウトソール（２）及び中底（１２）を主要構成部材として含む靴底（１）であって、アウトソール本体（２）より硬度が低い材料で、長手方向断面がほぼ舟形のバランス支持部材（３）を成形し、前記バランス支持部材（３）のアーチ対応箇所に断面がほぼ半球状のアーチ支持部材（４）をバランス支持部材（３）の足底に向けて突設させたバランス支持部材（３）を、アウトソール本体（２）の爪先部後端部（５）から踵対応箇所（６）に向けて、アウトソール本体（２）に填め込み、アウトソール本体（２）と接合一体化した靴底（１）において、アウトソール（２）の底面を、アウトソール（２）が地面と接する爪先側接点（Ａ）と爪先先端裏面（１０）とが形成する角度を６〜３０度の範囲で徐々に立ち上げ、且つアウトソール２が地面と接する踵側接点（Ｂ）と踵後端部裏面１１とが形成する角度を６〜２１度の範囲で徐々に立ち上げた曲面構造とした靴底（１）。
【請求項２】
さらに、バランス支持部材（３）の踵対応箇所（６）の裏面に、衝撃吸収部材（７）をバランス支持部材（３）に接合一体化した請求項１に記載した靴底。
【請求項３】
さらに、バランス支持部材（３）のほぼ中央部に、所定形状の突起（８）をアウトソール（２）の下方に向けてバランス支持部材（３）と一体に突設し、他方、アウトソール（２）の前記突起（８）の対応箇所に透孔（９）を穿設し、前記透孔（９）を介して前記突起（８）を観察できるようにした請求項１または２に記載した靴底（１）。
【請求項４】
アウトソール（２）が地面と接する爪先側接点（Ａ）と爪先先端裏面（１０）とが形成する最大開き角度は３０度で、且つアウトソール（２）が地面と接する踵側接点（Ｂ）と踵後端部裏面（１１）とが形成する最大開き角度は２１度である請求項１〜３のいずれか１項に記載した靴底。
【請求項５】
前記アウトソール本体（２）の硬度がＪＩＳ−Ｃ型硬度計で５５〜８５度の範囲で、前記バランス支持部材（３）の硬度がＪＩＳ−Ｃ型硬度計で２０〜５０度の範囲とした請求項１〜４のいずれか１項に記載した靴底。
【請求項６】
前記中底（１２）の前記アーチ支持部材（４）の対応箇所に前記アーチ支持部材（４）の半球面構造が貫通する透孔（１３）を設けた請求項１〜５のいずれか１項に記載した靴底（１）
【発明の詳細な説明】
【技術分野】
【０００１】  本発明は、靴底に関する。特に、本発明は、靴底の接地点と爪先の先端部を結んだ線が形成する角度、及び靴底の接地点と踵の後端部を結んだ線が形成する角度を、従来の靴底のそれらより大きくしたこと、歩行方向に揺動（ローリング）運動すること、アーチ対応箇所を支持する内部構造、及び踵対応箇所に対する衝撃を緩和あるいは吸収する内部構造を有することを特徴とする靴底に関する。
本発明の靴底は、従来から、靴業界で「バランスシューズ」あるいは「マサイ靴」等と呼称されている靴の範疇に属する。【０００２】  本発明の靴底は、足全体を覆う胛皮を備えた、いわゆる「靴」、及び足全体を覆う胛皮を備えていない、いわゆる「サンダル」にも適用される。
【背景技術】
【０００３】  近年、高年齢化に伴い健康増進や、生活習慣病対策としてダイエットを目的として、日常生活のなかで、簡単に出来る運動として、ウオーキング或いはジョギングが推奨されている。ウオーキング或いはジョギングは、体調あるいは体力に応じて調整ができるので、年齢、性別、職業等に関係なく実施出来る点では理想的である。【０００４】  ところで、ウオーキング、ジョギング、及びランニングを心拍数の点からみると、当然個人差があり、感覚的な値であるが、ウオーキングは約１００〜１２０，ジョギングは約１２０〜１３０，ランニングは約１３０〜１５０と言われている。即ち、ウオーキングもジョギングも運動量としてはそれほど多くなく、従って、体への負担も小さい。また、ウオーキング及びジョギングにおいては、使用する筋肉はごく限られたものである。そこで、ウオーキング或いはジョギングにおいて、普段使用しない筋肉を敢えて使用することにより、運動量を大きくし、それにより、健康増進や、ダイエット効果を向上させることができれば、理想的である。従来、そのような効果があるとされる靴が幾つか提案されている。【０００５】  特許文献１は、「アクティブ・ローリング・ウオーキング用具」と称する靴を開示している。これは、靴底をミッドソール１０、アンダーソール１２及びソール底１３から構成し、アンダーソール１２を、終端のソール底１３に対向した側において、下方へ凸のアーチ状ないし円弧状の形状にし、その構造により、積極的にロール運動を与え、ロール時にトランポリン効果を奏功させるものである。その断面構造は、一見、ポックリ下駄、或いは、一本歯の高歯のような構造で、極めて不安定であり、習熟しない場合、危険でさえある。さらに、特許文献１に記載されている「アクティブ・ローリング・ウオーキング用具」は、ミッドソ−ル１０の硬度等物性は均一で、中足骨該当個所及び踵に対応する箇所で硬度等物性を適正に変化させていないので、足裏に与える負荷が同じであり、長時間のウオーキングをした場合は、相当疲労が蓄積する。【０００６】  特許文献２は、「マサイウオーキング用専門履き物のミッドソール」を開示している。これは、ミッドソールに、前シャンクと後シャンクとを１個または複数個のスプリングで結合されたスプリングシャンクを埋め込んだものである。スプリングシャンクは、足形をしたシャンクを、前シャンクと後シャンクに２分割し、前シャンクの後端部（踵側）にスプリング輪を埋め込み、後シャンクの前端部（爪先側）にスプリング輪を埋め込んだものを予め製造し、それらを、金属製のスプリングをポリビニルクロリド樹脂、ポリウレタン樹脂及びポリエステル樹脂の中から選択された樹脂で被覆したものを、前記スプリング輪を介して、相互に連結した構造である。即ち、ミッドソールを２分割して、それらを複数個のスプリングで可動的に連結するという非常に複雑な構造なため、スプリングが前シャンクまたは後シャンクの一方から外れると、機能しなくなるという欠点がある。【０００７】  特許文献３は、「靴底及び該靴底を備えた靴」を開示している。これは、靴底の土踏まず支持部１１０と爪先支持部１２０と踵支持部１３０とをそれぞれ別個に形成し、爪先支持部１２０と踵��持部１３０とが土踏まず支持部１１０の下側に接着するという極めて煩雑で製造コストを引き上げる構造になっている。また、土踏まず支持部１１０は、その下面１１１が、前端部１１２から中央部１１３にかけては下り傾斜をなし（傾斜下面１１１ａ），中央部１１３から後端部１１４にかけては上り傾斜をなすようになっており（傾斜下面１１１ｂ）、中央部１１３周辺に肉厚部が形成されたものとなっている。中央部１１３の最下面１１１ｃは、略平坦に形成されている。このため、着用者の体重が、中央部１１３の最下面１１１ｃで支持されるようになっている（特許文献３の段落［００３３］）。この記載と図を参照すると、特許文献３が記載する「靴底及び該靴底を備えた靴」は、接地面積が非常に小さい中央部１１３の最下面１１１ｃで全体重を支持するようになっていて、あたかも「一本歯の高下駄」のような極めて不安定な構造で、幼児、妊婦、高齢者等には不向きである。
【先行技術文献】
【０００８】
【特許文献１】特表２００３−５０８０９８号公報
【特許文献２】特開２００９−１４２６３７号公報
【特許文献３】特開２００９−１５３９９０号公報
【発明の開示】
【発明が解決しようとする課題】
【０００９】  発明が解決しようとする第１の課題は、靴底の接地面積を従来のそれに比べて小さくし敢えて不安定な構造にすることにより、バランス感覚を必要とし、普段使用しない筋肉を使用することにより、運動量を大きくすることによりランニングに比べて運動量が少ない日常歩行、ウオーキング、或いはジョギングにおいても健康増進や、ダイエット効果を向上させることができる構造の靴底を提供することである。【００１０】  発明が解決しようとする第２の課題は、靴底の接地面積を従来のそれに比べて小さくして、進行方向前後へ軽いローリング（揺動運動）運動を与える構造にすることにより、歩行動作をスムーズにし、且つ、バランス感覚を養い、普段使用しない筋肉を敢えて使用することにより運動量を大きくし、ランニングに比べて運動量が少ない日常歩行、ウオーキング、或いはジョギングにおいても健康増進や、ダイエット効果を向上させることができる構造の靴底を提供することである。【００１１】  発明が解決しようとする第３の課題は、踵と爪先を反り上がった形状にし、靴底の接地面積を従来のそれに比べて小さくすることにより、敢えて不安定な構造にするが、それを補償するために、アーチ部分を支持し、足全体のバランスをとり、安定性を保持することができる構造の靴底を提供することである。【００１２】  発明が解決しようとするその他の課題は、以下逐次明らかにされる。
【課題を解決するための手段】
【００１３】  本発明によると、上記課題は、次のようにして解決される。
１．アウトソールを主要構成部材として含む靴底であって、アウトソール本体より硬度が低い材料で、長手方向断面がほぼ舟形のバランス支持部材を成形し、前記バランス支持部材のアーチ対応箇所に断面がほぼ半球状のアーチ支持部材をバランス支持部材と一体に足底に向けて突設させたバランス支持部材を、アウトソール本体の爪先部後端部から踵対応箇所に向けて、アウトソール本体に填め込み、アウトソール本体と接合一体化した靴底において、アウトソールの底面構造を、アウトソールが地面と接する爪先側接点と爪先先端裏面とが形成する角度を６〜３０度の範囲で徐々に立ち上げ、且つアウトソールが地面と接する踵側接点と踵後端部裏面とが形成する角度を６〜２１度の範囲で徐々に立ち上げた曲面構造とした靴底。【００１４】２．前記１項において、さらに、バランス支持部材の踵対応箇所の裏面に、衝撃吸収部材をバランス支持部材に接合一体化する。【００１５】３．前記１または２項において、さらに、バランス支持部材のほぼ中央部に、所定形状の突起をアウトソールの下方に向けてバランス支持部材と一体に突設し、他方、アウトソールの前記突起の対応箇所に透孔を穿設し、前記透孔を介して前記突起を観察できるようにする。【００１６】４．前記１〜３項のいずれか１項において、アウトソールが地面と接する爪先側接点と爪先先端裏面とが形成する最大開き角度を３０度とし、アウトソールが地面と接する踵側接点と踵後端部裏面とが形成する最大開き角度を２１度とする。【００１７】５．前記１〜４項のいずれか１項において、アウトソール本体の硬度をＪＩＳ−Ｃ型硬度計で５５〜８５度の範囲とし、前記バランス支持部材の硬度をＪＩＳ−Ｃ型硬度計で２０〜５０度の範囲とする。【００１８】６．前記１〜５項のいずれか１項において、中底の前記アーチ支持部材の対応箇所に前記アーチ支持部材の半球面構造が貫通する透孔を設ける。
【発明の効果】
【００１９】  請求項１に記載した発明によれば、アウトソールを主要構成部材として含む靴底であって、アウトソール本体より硬度が低い材料で、長手方向断面がほぼ舟形のバランス支持部材を成形し、前記バランス支持部材のアーチ対応箇所に断面がほぼ半球状のアーチ支持部材をバランス支持部材と一体に足底に向けて突設させたバランス支持部材を、アウトソール本体の爪先部後端部から踵対応箇所に向けて、アウトソール本体に填め込み、アウトソール本体と接合一体化した靴底において、アウトソールの曲面構造を、アウトソールが地面と接する爪先側接点と爪先先端裏面とが形成する角度を６〜３０度の範囲で徐々に立ち上げ、且つアウトソールが地面と接する踵側接点と踵後端部裏面とが形成する角度を６〜２１度の範囲で徐々に立ち上げた曲面構造としたので、下記に例示する効果を奏功する。【００２０】１．アウトソールを、アウトソールが地面と接する爪先側接点と爪先先端裏面とが形成する角度を６〜３０度の範囲とし、且つアウトソールが地面と接する踵側接点と踵後端部裏面とが形成する角度を６〜２１度の範囲の曲面構造としたので、図１の爪先側及び踵側に両矢印で示したように歩行方向前後に揺動運動をし、スム−ズな歩行運動を実現する。【００２１】２．歩行方向前後に揺動運動をすることにより、従来の靴を履いて行うウオーキング或いはジョギングと比べて、普段使用しない筋肉を敢えて使用することにより、運動量を大きくし、それにより、健康増進や、ダイエット効果に資する。【００２２】３．アウトソール本体の硬度の約３０〜約６０％の硬度を有する材料で、長手方向断面がほぼ舟形のバランス支持部材を成形し、前記バランス支持部材のアーチ対応箇所に断面がほぼ半球状のアーチ支持部材をバランス支持部材と一体に足底に向けて突設させたバランス支持部材を、アウトソール本体の爪先部後端部から踵対応箇所に向けて、アウトソール本体に填め込み、アウトソール本体と接合一体化したので、アーチ支持部材が、体重による縦アーチの垂下を防止し、足が内側に傾く回内位が防止でき、体重移動を導くことにより動作進行をサポートすることができ、さらに、断面がほぼ半球状のアーチ支持部材の球面構造が、アーチの曲面構造に適合するので、縦アーチを構造的に完全に支持し、足の疲労を軽減し、従来の靴に比べて接地面積が少ない欠陥を補償し安定性を与える。【００２３】  請求項２に記載した発明によれば、請求項１に記載した靴底に、さらに、バランス支持部材の踵対応箇所の裏面に、衝撃吸収部材をバランス支持部材に接合一体化したので、歩行時、特に着地時に踵に負荷される衝撃を吸収し、長時間使用しても踵骨を構成する各種の骨に大きな障害を与えない。【００２４】  請求項３に記載した発明によれば、バランス支持部材のほぼ中央部に、所定形状の突起をアウトソールの下方に向けてバランス支持部材と一体に突設し、他方、アウトソールの前記突起の対応箇所に透孔を穿設し、前記透孔を介して前記バランス支持部材の突起を観察できるようにしたので、意匠効果が発現される。【００２５】  請求項４に記載した発明によれば、アウトソールが地面と接する爪先側接点と爪先先端裏面とが形成する最大開き角度を３０度とし、且つアウ���ソールが地面と接する踵側接点と踵後端部裏面とが形成する最大開き角度を２１度とし、アウトソールが地面と接する爪先側接点と爪先先端裏面とが形成する最大開き角度の方が、アウトソールが地面と接する踵側接点と踵後端部裏面とが形成する最大開き角度より約１０度大きくしたので、歩行方向前後への揺動運動がスムーズに行われ、着地→重心移動→蹴り出しの一連の歩行運動動作が、一種のリズムを伴って迅速に行われる。【００２６】  請求項５に記載した発明によれば、アウトソール本体の硬度をＪＩＳ−Ｃ型硬度計で５５〜８５度の範囲とし、バランス支持部材の硬度をＪＩＳ−Ｃ型硬度計で２０〜５０度の範囲とし、バランス支持部材の硬度をアウトソール本体の硬度の約３０〜６０％と柔らかくしたので、バランス支持部材が全体で歩行時の体重をほぼ均一に分散させ疲労感のない歩行感覚を与え、他方、アウトソール本体の硬度をバランス支持部材の硬度の約１．７〜約３倍と大きくすることにより、歩行時地面から受ける衝撃を軽減し、足裏に対する負荷を小さくすることができる。【００２７】  請求項６に記載した発明によれば、中底のアーチ支持部材の対応箇所にアーチ支持部材の半球面構造が貫通する透孔を設けたので、使用時にアーチ支持部材の半球面構造が直接アーチの曲面構造に適合するので、縦アーチを構造的に完全に支持し、足の疲労を軽減し、従来の靴に比べて接地面積が少ない欠陥を補償し安定性を与える。【００２８】  以下、本発明を、添付した図面に基づいて説明する。図１は、本発明の一実施例の構造を示す断面図である。図２は本発明の一実施例の分解斜視面図である。図３は図２のＩ−Ｉ線に沿った断面図である。図４は図２のＩＩ−ＩＩ線に沿った断面図である。図５は本発明の一実施例の構造を示す別の断面図である。【００２９】  図１において、本発明の靴底１は、主として、アウトソール本体２と、バランス支持部材３と、衝撃吸収部材７とから構成されている。アウトソール本体２は、天然或いは各種合成ゴム、エチレン−酢酸ビニル共重合体（ＥＶＡ）、ポリウレタン、或いはそれらの混合物等任意の材料から射出成形法或いは加流成形法により製造される。どのような材料を選択するかは、主として靴の用途、製造コスト等を勘案して決定される。アウトソール本体２には、後述するバランス支持部材３が嵌合される舟形の凹陥部が爪先部後端部５から踵対応箇所６に向けて、穿設されている。アウトソール本体２の硬度は、ＪＩＳ−Ｃ型硬度計で５５〜８５度の範囲で設定される。アウトソール本体２の硬度が５５度以下の場合、強度、耐久性、耐摩耗性等靴底としての本来の物性が保持されない。また、アウトソール本体２の硬度が８５度以上の場合、硬すぎて、やはり、靴底としての本来の物性が保持されない。【００３０】  図５を参照して、アウトソール２の底面の曲面構造に関して説明する。アウトソール２の底面は、アウトソール２が地面と接する爪先側接点（Ａ）と爪先先端裏面１０とが形成する角度を６〜３０度の範囲で徐々に立ち上げ、且つアウトソール２が地面と接する踵側接点Ｂと踵後端部裏面１１とが形成する角度を６〜２１度の範囲で徐々に立ち上げた曲面構造とする。この場合重要なことは、アウトソール２が地面と接する爪先側接点（Ａ）と爪先先端裏面１０とが形成する角度及び、アウトソール２が地面と接する踵側接点Ｂと踵後端部裏面１１とが形成する角度は、前記の角度範囲で徐々に立ち上げることである。たとえば、図５において、アウトソール２が地面と接する爪先側接点（Ａ）と爪先先端裏面１０との間の３点の位置で、θ１を６度、θ２を１７度、及びθ３を２９度とし、アウトソール２が地面と接する踵側接点Ｂと踵後端部裏面１１との間の３点の位置で、θ’１を６度、θ’２を１４度、及びθ’３を２１度とする。すなわち、本発明の一実施の態様では、アウトソール２が地面と接する爪先側接点（Ａ）と爪先先端裏面１０とが形成する最大開き角度は２９度で、且つアウトソール２が地面と接する踵側接点Ｂと踵後端部裏面１１とが形成する最大開き角度は約２１度である。【００３１】  アウトソール２が地面と接する爪先側接点（Ａ）と、アウトソール２が地面と接する踵側接点Ｂとの間の長さＬは、製造する靴の用途、要求されるバランスの程度等を勘案して決定されるべきである。すなわち、アウトソール２が地面と接する爪先側接点（Ａ）とアウトソール２が地面と接する踵側接点Ｂとの間の長さＬを長くすれば、靴としての安定性は大きくなるが、他方、不安定性による進行方向前後への揺動（ローリング）運動による、ウオーキング或いはジョギングにおいて、普段使用しない筋肉を敢えて使用することにより、運動量を大きくし、それにより、健康増進や、ダイエット効果を向上させるという、前述した本発明の靴本来の機能が低下する。逆に、アウトソール２が地面と接する爪先側接点（Ａ）とアウトソール２が地面と接する踵側接点Ｂとの間の長さＬを短くすれば、靴としての安定性は小さくなるが、他方、不安定性による進行方向前後への揺動（ローリング）運動による、ウオーキング或いはジョギングにおいて、普段使用しない筋肉を敢えて使用することにより、運動量を大きくし、それにより、健康増進や、ダイエット効果を向上させるという、前述した本発明の靴本来の機能は向上する。従って、アウトソール２が地面と接する爪先側接点（Ａ）とアウトソール２が地面と接する踵側接点Ｂとの間の長さＬは、製造する靴の用途、要求されるバランスの程度、ウオーキング或いはジョギングの習熟度等を勘案して決定されるべきである。【００３２】  アウトソール２に、アウトソール本体２より硬度が低い材料で、長手方向断面がほぼ舟形のバランス支持部材３を成形し、アウトソール本体２に填め込み、アウトソール本体２と接合一体化する。バランス支持部材３の硬度はＪＩＳ−Ｃ型硬度計で２０〜５０度の範囲が好ましい。バランス支持部材３の硬度がＪＩＳ−Ｃ型硬度計で２０以下及び５０度以上の場合、前述した所定の効果を奏功することができない。【００３３】  さらに、バランス支持部材３のアーチ対応箇所に、断面がほぼ半球状のアーチ支持部材４をバランス支持部材３と一体に足底に向けて突設させる。本発明の一実施態様では、アーチ支持部材４のバランス支持部材３の表面からの高さは約５ｍｍ、直径は約４５ｍｍである。然しながら、これらの数値は、靴の用途、使用者の年齢、等各種の要因によって適切に変動されえるべきである。アーチ支持部材４は、バランス支持部材３の硬度と同じに設定しさえすれば、バランス支持部材３と同じまたは異なる材料でバランス支持部材３と別体に製造して所定の箇所に接着しても、或いはバランス支持部材３と一体に成形してもよい。ただし、別体に製造して所定の箇所に接着した場合、長時間使用中に層間剥離等が発生する恐れがあるので、バランス支持部材３と一体に成形した方が好ましい。【００３４】  アーチ支持部材４は、中足骨周辺を下から支持し、アーチが下垂するのを防止する機能を有する。従って、硬度の高いアーチ支持部材４が、体重による縦アーチの垂下を防止し、足が内側に傾く回内位が防止でき、体重移動を導くことにより動作進行をサポートすることができ、さらに、断面がほぼ半球状のアーチ支持部材４の球面構造が、アーチの曲面構造に適合するので、縦アーチを構造的に完全に支持し、足の疲労を軽減し、従来の靴に比べて接地面積が少ない欠陥を補償し安定性を与える。【００３５】  さらに、バランス支持部材４の踵対応箇所の裏面に、衝撃吸収部材７をバランス支持部材に接合一体化する。衝撃吸収部材７は、特段に限定されるものではなく、市場から入手可能なものでよく、本発明で使用した衝撃吸収材は、材料名がＥＶＡは発泡体で、たとえば、富士高圧産業（株）製のもので、硬度３度、反撥弾性２．３％、衝撃力１１７５０Ｎ（衝撃力の厚さが２．６〜２．８ｍｍ）の物性を有するものである。このように、バランス支持部材３の踵対応箇所の裏面に、衝撃吸収部材７をバランス支持部材３に接合一体化したので、歩行時、特に着地時に踵に負荷される衝撃を吸収し、長時間使用しても踵骨を構成する各種の骨に大きな障害を与えない。【００３６】  さらに、図１に示したように、バランス支持部材３のほぼ中央部に、所定形状の突起８をアウトソール２の下方に向けてバランス支持部材３と一体に突設し、他方、アウトソール２の前記突起８の対応箇所に透孔９を穿設し、前記透孔９を介して前記バランス支持部材３の突起８を観察できるようにした。このような構成にしたことにより、独特の意匠効果が発現され、マーチャンダイジングに資する。【００３７】  さらに、図２に記載したように、中底１２のアーチ支持部材４の対応箇所にアーチ支持部材４の半球面構造が貫通する透孔１３を設けることが好ましい。中底１２をこのような構造にすることにより、使用時にアーチ支持部材４の半球面構造が直接足裏のアーチの曲面構造に適合するので、縦アーチを構造的に完全に支持し、足の疲労を軽減し、従来の靴に比べて接地面積が少ないことによる欠陥を補償し安定性を与える。【００３８】  図２、３及び４において１６は回外位防止部材であり、図３及び４において１７は回内位防止部材である。回外位防止部材１６と回内位防止部材１７は、アウトソール２のほぼ中央の外周上端部から所定の高さでアウトソール２と一体に立設したもので、踵の外周上端部から立設した踵部立上がり部１８を介して連続している。回内位とは、足を後ろから見て内側に傾く状態を言い、回外位とは、足を後ろから見て外側に傾く状態を言う。これらの形態はそれぞれ逆の反応をする。即ち、回内位では足を真上からみて、外転、背屈、回外位では内転、底屈という状態になる。このような状態になると、踵��だけではなく、踵骨と連結している各種の骨に悪影響を与える。
【図面の簡単な説明】
【００３７】
【図１】本発明の一実施例の構造を示す断面図。
【図２】本発明の一実施例の分解斜視面図。
【図３】図２のＩ−Ｉ線に沿った断面図。
【図４】図２のＩＩ−ＩＩ線に沿った断面図である。
【図５】本発明の一実施例の構造を示す別の断面図。
【符号の説明】
【００３８】１：靴底
２：アウトソール本体
３：バランス支持部材
４：半球状のアーチ支持部材
５：爪先部後端部
６：踵対応箇所
７：衝撃吸収部材
８：突起
９：透孔
１０：爪先先端裏面
１１：踵後端部裏面
１２：中底
１３：透孔
１４：インソール
１５：甲皮
１６：回外位防止部材
１７：回内位防止部材
１８：踵部立上がり部
θ１、θ２、θ３：アウトソール２が地面と接する爪先側接点Ａと爪先先端裏面１１との間の３点の角度
θ１’、θ２’、θ３’：アウトソール２が地面と接する踵側接点Ｂと踵後端部裏面１１との間の３点の角度
Ｌ：アウトソール２が地面と接する爪先側接点Ａと踵側接点Ｂとの間の長さ
Ａ：爪先側接点
Ｂ：踵側接点
【図１】
2011255143.tif 000003
【図２】
2011255143.tif 000004
【図３】
2011255143.tif 000005
【図４】
2011255143.tif 000006
【図５】
2011255143.tif 000007